(57)【特許請求の範囲】
【請求項１】
マイクロ波支援化学で使用される圧力容器用のダイナミックシール構造体において、
円筒形の容器と、該容器用のキャップと、
前記容器及び前記キャップを取り巻き且つ前記容器及び前記キャップに対して当接するフレームと、
前記容器を取り巻く円筒形の複合スリーブと、
前記容器の中身が高圧力下にあるとき、前記容器内の圧力により、前記キャップの部分を半径方向に密封する関係にて前記容器の内側表面に対して付勢すべく、前記キャップに設けられた垂下スリーブと、
前記容器の中身が高圧力下にあるとき、前記容器内の圧力により、前記キャップの部分を半径方向に密封する関係にて前記容器の外側表面に対して付勢すべく、前記キャップに設けられた円形の通路と、を備え、
前記垂下スリーブの少なくとも一部は、前記キャップが前記容器に取り付けられたときに、前記円形の通路よりも前記容器の底側に配置される、ダイナミックシール構造体。
【請求項２】
請求項１によるダイナミックシール構造体において、前記容器の中身が高圧力下にあるとき、前記容器内の圧力により、前記キャップ上の前記円形の通路と係合させるべく前記容器の外側表面に設けられた斜角付き端縁を更に備える、ダイナミックシール構造体。
【請求項３】
請求項１によるダイナミックシール構造体において、前記容器、前記キャップ、前記円筒形の複合スリーブ及び前記フレームが全て、マイクロ波放射線に対して透過性で且つ化学的攻撃に対する抵抗性のある材料にて形成される、ダイナミックシール構造体。
【請求項４】
マイクロ波支援化学用の装置において、
マイクロ波発生源と、
該発生源とマイクロ波連通したキャビティと、
前記発生源により発生され且つ前記キャビティ内で伝播するマイクロ波にて照射される、前記キャビティ内の請求項１による複数の容器とを備える、マイクロ波支援化学用の装置。
【請求項５】
請求項１に記載のダイナミックシール構造体において、
前記円筒形の反応容器の一端は、試薬を入れることのできる円形の開口を画定し、
前記容器用の前記キャップは円形であり、また、前記容器に対するそれぞれ内面及び外面を有し、
前記キャップは、前記反応容器の前記円形の開口を画定する前記一端を受け入れる十分な幅を有する、前記キャップの前記内面における円形の通路を備え、前記通路の半径方向外側にある前記キャップの部分が前記反応容器の外側表面に重なり合う、
ダイナミックシール構造体。
【請求項６】
請求項５によるダイナミックシール構造体において、前記円形の通路が矩形の断面を有する、ダイナミックシール構造体。
【請求項７】
請求項５によるダイナミックシール構造体において、前記円形の通路が斜断面を有する、ダイナミックシール構造体。
【請求項８】
請求項５によるダイナミックシール構造体において、前記円形の通路が曲線状断面を有する、ダイナミックシール構造体。
【請求項９】
請求項５によるダイナミックシール構造体において、
前記容器及び前記キャップを取り巻く矩形のフレームと、
前記容器及び前記キャップに対して当接し得るように調節可能に締め付けるべく前記容器と同軸状に且つ該キャップに対して当接するように前記フレーム内にねじ込まれたボルトとを更に備える、ダイナミックシール構造体。
【請求項１０】
請求項１によるダイナミックシール構造体において、前記ライナー及びキャップがフルオロポリマーにて形成される、ダイナミックシール構造体。
【請求項１１】
請求項９によるダイナミックシール構造体において、前記フレーム及びボルトが、アクリロニトリル−ブタジエン−スチレン樹脂、アクリル樹脂、ナイロン、ＰＥＥＫ樹脂、フェノールホルムアルデヒド樹脂、ポリブチレンテレフタレート、ポリカーボネート、ポリエチレン、ポリプロピレン、ポリスチレン、ポリ塩化ビニル、尿素ホルムアルデヒド樹脂から成る群から選ばれた重合系材料にて形成される、ダイナミックシール構造体。
【請求項１２】
請求項１によるダイナミックシール構造体において、前記複合スリーブが織り地及びポリマーの複数の隣接する層を備える、ダイナミックシール構造体。
【発明の詳細な説明】
【技術分野】
【０００１】
本発明は、マイクロ波支援化学用の方法及び装置、特に、高圧用の容器の閉塞体に関する。
【背景技術】
【０００２】
マイクロ波支援化学は、化学的又は物理的反応を開始させ、進行させ又は向上させるためマイクロ波周波数範囲の電磁放射線が使用されるシステム、装置及び方法を説明すべく使用される用語である。マイクロ波支援化学は、マイクロ波放射線に応答可能な材料を加熱するのに特に有用であり、それは、殆どの状況下にて、対流、又は伝導加熱のようなより従来的な加熱技術を使用して反応を開始させ又は加速する場合よりも、加熱効果は遥かにより迅速に行われる結果となるからである。
【０００３】
マイクロ波支援化学は、水分の測定、灰化焼却、消化、抽出等を含む多岐に亙る化学的過程にて使用することができる。幾つかの状況下にて、これらの色々な技術は、密封容器内で行われることが好ましく又は必要であり、これらの密封容器は、その内部でのガスの発生又は膨張のため、高圧力に耐え得るものでなければならない。
【０００４】
電磁放射線分野の当業者に周知であるように、「マイクロ波」という語は、一般に、約１０００乃至５００，０００ミクロン（μ）の範囲の波長及び約１×１０9乃至５×１０11ヘルツ（Ｈｚ）の範囲の相応する周波数を有する放射線を一般的に指すためにしばしば使用される。しかし、これらは、任意の限界値であり、他の文献は、約１０8Ｈｚ乃至１０12Ｈｚの範囲の周波数及び約３００センチメートル（ｃｍ）乃至０．３ミリメートル（ｍｍ）の範囲の周波数を有するものをマイクロ波と称している。米国における商業的及び消費者の目的のため、利用可能なマイクロ波周波数は、連邦通信委員会（Ｆｅｄｅｒａｌ  Ｃｏｍｍｕｎｉｃａｔｉｏｎｓ  Ｃｏｍｍｉｓｓｉｏｎ）により統括されており、一般に、２４５０メガヘルツ（ＭＨｚ）のような特定の周波数に制限される。マイクロ波放射線の波長が相対的に長いため、マイクロ波支援化学技術は、閉じた容器内でしばしば行われ、その容器は、次に、外観上、消費者の電子レンジと似ているが、その発生源、導波管、キャビティ及び制御要素の点にて遥かにより高級のものである装置に入れる。
【０００５】
本出願は、また、その内容の全体を参考として引用し本明細書に含めた、「連続的に巻いた織地補強材を有する圧力容器用の複合スリーブ（Ｃｏｍｐｏｓｉｔｅ  Ｓｌｅｅｖｅ  Ｆｏｒ  Ｐｒｅｓｓｕｒｅ  Ｖｅｓｓｅｌｓ  Ｗｉｔｈ  Ｃｏｎｔｉｎｕｏｕｓｌｙ  Ｗｏｕｎｄ  Ｆａｂｒｉｃ  Ｒｅｉｎｆｏｒｃｅｍｅｎｔ）」という名称で、１９９９年３月１日付けで出願された、同時出願係属中の特許出願第０９／２６０，２０９号にも関するものである。本発明が適用可能である、反応容器の型式を示すその他の特許及び出願係属中の出願は、その双方が本発明と同一人に譲渡された米国特許第５，４２７，７４１号及び米国特許第５，５２０，８８６号を含む。別の型式のものは、その内容の全体を参考として引用し本明細書に含めた、同時出願係属中で且つ同一人に譲渡された、１９９８年４月２０日付け出願の特許出願第０９／０６２，８５８号（「第’８５８号出願」）に記載されている。
【０００６】
特許出願第０９／２６０，２０９号に記載された複合スリーブは、その先行出願と共に、反応容器の初期の開発段階の不利益な点の幾つかを回避しつつ、マイクロ波支援化学を行うことのできるときの反応圧力を著しく増す機会を提供するものである。特に、特許出願第０９／２６０，２０９号に記載された複合容器の向上した性能、及び制御された破損故障無しの特徴及びそれに関連した特徴は、マイクロ波支援化学を反応容器内で５５１５．８１ｋＰａ（８００ポンド平方インチ（ｐｓｉ））のような高圧にて行うことを可能にしている。特許出願第０９／２６０，２０９号及びその先行出願に記載されたように、複合スリーブと、フレームの双方により反応容器を取り巻き、そのフレームが容器を所定位置に保持し且つ容器の蓋又はキャップを反応容器に対して緊密に押し付けるようにすることにより、より高圧力をある程度まで受け入れることができる。
【０００７】
しかし、これらのより高圧力における研究が進むに伴って新たな問題点が生じる傾向となった。具体的には、典型的な反応容器はポリマー（すなわち、マイクロ波の透過性及び化学的攻撃に対する抵抗性がある）にて製造されているため、これらの反応容器は、現在、使用されている極めて高圧力下にて変形し勝ちである。更に、フレームは、容器の寸法は容器の軸方向に沿って多少、制限されたものに保つため、高圧力にて生ずる変形は、典型的に円筒形の反応容器の半径方向への変形として観察され勝ちとなる。一方、この半径方向への変形は、容器の蓋又はキャップを容器から離脱させ、容器内の所望の圧力又は試薬又はその双方が失われることになる。幾つかの装置（例えば、特許出願第０９／０６２，８５８号）において、この変形は、高圧力を自然解放するための技術として歓迎される。しかし、その他の状況において、高圧力は望ましく、また、容器は閉じたままでなければならない。換言すれば、高圧力にて作動可能な容器及び装置を開発することに成功したが、高圧力下の容器の変形として対処しなければならない新たな問題点が生じている。
【０００８】
従って、特許出願第０９／２６０，２０９号及びその先行出願に記載された複合スリーブ及びフレーム構造体の利点を活用することができ、しかも、反応が進行するに伴って容器の内部から抽出される半径方向への高圧力に耐えることができ、フレームが容器の長手方向寸法を保ち、また、キャップが反応が行われる前と相対的に同一である、典型的に、ポリマーで出来た、マイクロ波透過性及び化学的抵抗性のある容器が課題とされている。マイクロ波支援化学、特に、特許出願第０９／２６０，２０９号及びその先行出願に記載された型式の装置に詳しい当業者は、勿論、容器及びフレームは共に、多少、長手方向に変形するが、その程度は、容器及びフレームの設計パラメータの下で望まれる程度以上でないことが認識されよう。特許出願第０９／２６０，２０９号及び特許出願第０９／０６２，８５８号に記載されたように、キャップが僅かに解放することを許容する、フレームの僅かな曲がりは、幾つかの状況下にて、反応容器内の圧力を制御する自然調節方法として望ましいものである。このことは、特定の圧力時、特定の自然解放が望まれるとき有益であるが、反応の進行を促進し又は完了させるため容器がより高圧力にて閉じたままでなければならないとき、不利益なことである。
【０００９】
従って、容器内部の圧力によって変形されるときでさえ、密封されたままである重合系の反応容器及びキャップが課題とされている。
【発明の概要】
【発明が解決しようとする課題】
【００１０】
このため、本発明の１つの目的は、容器内部の高圧力によって変形し、また、かかる変形が生じつつあるときでも、密封されたままである反応容器を提供することである。
【課題を解決するための手段】
【００１１】
本発明は、マイクロ波支援化学にて使用される圧力容器に対するダイナミックシール構造体によってこの目的を達成するものである。該構造体は、容器と、該容器のキャップとを備えている。容器の中身が圧力下にあるとき、該キャップの第一の手段がキャップの一部分を半径方向に密封した関係にて容器の内部に対して付勢する。キャップの第二の手段がキャップの一部分を半径方向に密封した関係にて容器の外側に対して付勢する。より具体的には、反応容器は円筒形であり、該反応容器の一端が試薬を投入することのできる円形の開口を画定する。円形のキャップは上記の容器に対するそれぞれの内面及び外面を有し、スリーブがキャップの内面から垂下しており、また、該スリーブは、容器の内面に係合するのに十分な直径を有している。キャップの内面もまた、反応容器の円形の開口を受け入れる十分な幅の円形の通路も備えており、反応容器の外側に重なり合う通路の半径方向外側となるキャップの部分を有している。
【００１２】
より好ましくは、ライナーはそれぞれの第一及び第二の斜角付き端縁に形成されたリップ部を有する円形の開口を備え、該第一の斜角付き端縁が円形の開口の内側端縁を形成し、第二の斜角付き端縁が円形の開口の外側端縁を形成するようにする。該キャップは、それぞれの内面及び外面を備えており、中空のスリーブが内面から垂下し且つ周縁を有し、この周縁が容器の内面に係合して圧力下にて容器のライナーの内面に対して付勢されるようにする。キャップの内面は、また上記スリーブの外側の円形の通路も備え且つ周縁を有しており、この周縁は容器のライナーのリップ部に係合する。該通路は、それぞれライナーのリップ部の双方の斜角付き端縁に係合する２つの斜角付き端縁を備えている。
【００１３】
本発明の上記及びその他の目的並びに有利な点及び本発明が実施される方法は、添付図面に関する以下の詳細な説明に基づいて一層明らかになるであろう。
【図面の簡単な説明】
【００１４】
【図１】本発明による容器及びフレームの斜視図である。
【図２】本発明の細部の一部を示す、図１の線２−２に沿った、断面図である。
【図３】本発明による反応容器の上方部分及びそのキャップの分解断面図である。
【図４】圧力容器と係合したキャップを示す、図３と同様の部分断面図である。
【図５】マイクロ波支援化学に適したマイクロ波装置のキャビティ内にある本発明による複数の容器及びフレームを示す、本発明によるマイクロ波装置の前方斜視図である。
【発明を実施するための形態】
【００１５】
本発明は、マイクロ波支援化学にて使用される圧力容器のダイナミックシール構造体である。図１及び図２には、天井構造体の全体的な構成要素及び該天井構造体が使用される環境が示されている。図１の斜視図には、全体として容器アセンブリが参照番号１０で示してある。該容器アセンブリ１０は、図２、図３及び図４に最も良く図示した容器１１を備えている。該容器１１は円筒形の形状であり、また、テフロン（Ｔｅｆｌｏｎ）（登録商標）のようなマイクロ波透過性で且つ化学的抵抗性のある材料にて製造されたものであることが好ましい。該容器は容器を閉じ且つその内部に中身を保つキャップ１２を備えている。容器及びキャップはフレーム１３により取り巻かれており、このフレームはキャップ１２を圧力容器１１に対して所定の位置に保つのに役立つ。図１及び図２に図示するように、容器アセンブリ１０は、容器１１が休止することのできるフレーム１３の下方部分に取り付けプラグ１４を更に備えており、また、調節可能な量の圧力（ボルトを締め付ける緊密さの程度に依存する）をキャップ１２に対して作用させるべく使用することができる締め付けボルト１５を備えている。幾つかの実施の形態において、容器は、ボルト１５とキャップ１２との間に配置され、容器及び締め付けられるボルト１５の全体を構造的に強化するのに役立つ荷重ディスク（図示せず）を備えることができる。
【００１６】
図５には、マイクロ波放射線源を含むマイクロ波装置のキャビティ内に複数の容器装置を配置する典型的な方法が示してある。本発明の閉塞体とは別に、図５に図示したもののような装置の構造体及び作用は、全体としてこの技術分野にて周知であり、従って詳細には説明しない。全体として、キャビティ１６は、その内部に配置された複数の容器装置１０への容易なアクセスを許容する扉１７を備えている。該容器装置は、マイクロ波が照射される間、これら装置を動かすことができるように回転台２０上に取り付けられることが好ましい。マイクロ波に詳しい当業者に既知であるように、かかる動きは、容器の各々の中身が同時に実質的に等しい量のマイクロ波放射線にて照射されることを確実にするのに役立つ。図５の装置の全体は、参照番号２１で表示されており、マイクロ波源と、制御盤２２で代表させた制御装置と、装置の作用に関する適正な情報及び反応容器内の状態に関する可能な情報を提供するディスプレイ２３とを備えている。この型式の装置２１のその他の型式におけるように、容器装置１０の１つは、典型的に、反応が進行するに伴い、オペレータがモニターし又は装置２１によって自動的にモニターすることができる何らかの型式の温度測定及び圧力測定装置を受け入れ得るような構造とされている。
【００１７】
一例としての実施の形態において、容器装置１０は、上記の特許出願第０９／２６０，２０９号及びその先行出願に記載された型式の複合スリーブ１８を更に備えている。その他の全ての材料の場合のように、複合スリーブは、同様に、マイクロ波周波数の範囲内の電磁放射線に対して実質的に透過性であり、また、最も苛酷な化学物質、特に、鉱物系酸による攻撃に対し同様に抵抗性のある材料にて形成されている。
【００１８】
図３及び図４には、本発明の特定の特徴が図示されている。その最も広い意味において、本発明は、容器１１の中身に圧力が加わったとき、キャップ１２の部分を容器１１の内部に対して半径方向（軸方向ではなく）密封関係に付勢する垂下スリーブ２４として図示された、キャップ１２における第一の手段を備えている。本発明は、容器１１の中身に圧力が加わったとき、キャップ１２の部分を容器１１の外部に対して半径方向に密封する関係に付勢する、キャップ１２の円形の通路２５として図示された、キャップにおける第二の手段を更に備えている。換言すれば、ダイナミックシール構造体は、キャップ１２を容器１１の内部と係合させると同時に、キャップ１２を容器の外部に対して付勢する力を容器の内部に対して提供する。
【００１９】
本発明によるダイナミックシール構造体は、円筒形の反応容器１１にて形成され、その反応容器の一端が図面に全体として参照番号２６で示した円形の開口を画定するものとして更に理解することができる。該開口２６は、勿論、容器１１内に試薬を入れることができる位置にある。幾つかの環境において、容器１１は、全体的な容器装置１０の内部ライニングを形成するため、「ライナー」とも称される。
【００２０】
容器１１に対する円形のキャップ１２は、それぞれの内面２７及び外面３０を有している。この実施の形態において、中空のスリーブ２４は、キャップ１２の内面２７から垂下し、また、スリーブ２４が容器１１の内面に係合するのに十分な直径を有している。
【００２１】
キャップ１２はまた、その内面２７に円形の通路２５も備えている。該円形の通路２５は、反応容器１１と円形の開口２６を受け入れるのに十分な幅を有し、また、該通路は、反応容器１１の外側に重なり合い、通路２５の半径方向外側にあり、反応容器１１の外側に重なり合う、キャップ１２の部分を有する。
【００２２】
上記に記載したように、容器及びキャップの以前の組み合わせに伴う可能な問題点の１つは圧力を受けたときに容器が変形し勝ちであり、特に、その軸方向（すなわち、長手方向）拡張がフレーム１３及びボルト１５により制限され又は制御されることを考慮するならば、特に半径方向に変形し勝ちであった。その結果、容器１１が半径方向に変形して、容器１１とキャップ１２との間の密封状態が損なわれ易かった。しかし、本発明において、図３及び図４に最も良く図示するように、中空のスリーブ２４は、容器１１内の上昇した圧力がスリーブ２４を容器１１の内面に対して緊密に付勢し、これにより変形力に対する内部シールを与える機構を提供する。キャップ１２の通路２５及び重なり合う部分は、半径方向に変形した容器１１がそのシール効果を失わずに当接する面を提供することにより、スリーブの動作を補助する。
【００２３】
換言すれば、容器１１内の高圧力はスリーブ２４を容器１１の内部に対して緊密に付勢し、また、容器１１をキャップ１２内の通路２５に対して緊密に付勢する。
好ましい実施の形態において、また、図３及び図４に図示するように、円形の通路２５は、鋭角な角度にて形成された斜断面を有している。しかし、通路の断面に対しその他の形態を採用することも可能であり、これらの形態は、同様に特許請求の範囲に記載した本発明の一部を形成するものであることが理解されよう。例えば、円形の通路２５は、矩形の断面、曲線状断面又はこれらの幾何学的特徴の組合わせ体さえも有するようにしてもよい。しかし、本明細書に記載した斜断面は、占有スペースが最小程度であり、従って、より効率的な寸法の圧力装置を提供することができる。同様に、該圧力装置は、ライナー開口における通路と、キャップ１２の斜角付きリップ部とを備えるようにしてもよい。しかし、容器を充填し且つ空ける間、反応液体が通路内に漏れ出る可能性が大きいため、かかる構成は液体の取扱いに対して制御性が低く、またこの構成は、好ましい実施の形態のものよりも大型ともなり勝ちである。
【００２４】
図３及び図４を更に詳細に参照すると、これら図面には、円筒形の容器ライナー１１及び除去可能なキャップ１２が図示されており、容器１１は、それぞれの第一及び第二の斜角付き端縁３２、３３にて形成された、全体として参照番号３１で示したリップ部が設けられた円形の開口２６を有する。第一の斜角付き端縁３２は、円形の開口２６の内端縁を形成する一方、第二の斜角付き端縁３３は円形の開口２６の外端縁を形成する。
【００２５】
上述したように、キャップ１２は、それぞれの内面２７及び外面３０を備え、中空のスリーブ２４が内面２７から垂下している。スリーブ２４は、圧力下にて容器のライナー１１の内部に対して付勢されるように容器のライナー１１の内面に係合する周縁を有している。
【００２６】
この実施の形態において、キャップの内面２７は、スリーブ２４の外側にあり且つ容器１１のリップ部３１に係合する周縁を有する円形の通路を備えている。リップ部３１と相補的な仕方にて、通路２５は、ライナー１１のリップ部３１の斜角付き端縁３２、３３の双方にそれぞれ係合する２つの斜角付き端縁３４、３５を備えている。上述したように、斜角付きリップ部３１及び斜角付き通路２５を使用することは、装置の密封性と最も効率的なスペースの使用と組み合わせるうえで最も効率が良い。
【００２７】
図４には、好ましい実施の形態において、通路２５の斜角部分３４は、容器１１のリップ部３１における斜角部分３２と正確に等しい角度で形成されていないことが示してある。代わりに、斜角部分３２、３４は、圧力が容器１１を変形させるとき、シールの動的性質を向上させるような互いに対する角度を形成する。斜角部分３４を斜角部分３２に僅かに異なる角度に保つことにより、この構造体は、部品が圧力下にて変形するとき、又は、製造中に完全に機械加工されないときでも、斜角部分３４の表面と斜角部分３２の表面との間に常に幾分かの接触が存在することを保証する。換言すれば、斜角部分が同一の角度を有するとき、これらの斜角部分は、より大きい設計許容公差を必要とし、また、高圧力下にて完全に接触したままである可能性は幾分小さい（必ずしもそうとは限らないが）。全ての状態下にてこれらの双方を満足させることは、不可能でないにしても、多少難しい。しかし、角度が僅かに相違するならば、表面３４と表面３２との間の接触点は、容器１１が変形するとき、移動する効果があり、しかも、表面３２、表面３４を常に互いに接触した状態に保つ。また、この角度差は、表面３４、３２が各ストリップを横断するよりも１つの点（すなわち、周縁線）にて交わる可能性がより大きい構造体も形成する。表面３４、３２は、１点にて交わるため、その点における単位荷重は、常に相対的に大きい、すなわちより効果的なシールを提供する。
【００２８】
リップ部３１の斜角３２及び通路２５の斜角３４は、このダイナミックシール効果を許容するのに十分大きくしなければならないが、キャップ１２を殆どの状態下にてライナー１１上に密封された状態に保つため遥かにより大きい力を必要とするような角度よりは小さくなければならない。このように、現在、少なくとも約２°の角度が必要であるが、約８°の角度では大きすぎると考えられる。従って、現在の好ましい実施の形態において、リップ部３１の表面３２と通路２５の表面３４との間の角度は約４°に保たれる。
【００２９】
本明細書に記載した全ての実施の形態におけるように、この実施の形態のキャップ及びライナーは、複合強化スリーブ１８、取り巻くフレーム１３及び締め付けボルト１５と共に使用することが好ましい。これらの全ては、マイクロ波放射線に対して実質的に透過性であり且つ化学的攻撃に対して抵抗性があり、しかも、その内部で行なおうとする反応に対する構造上の強度条件に適合する材料で出来ている。材料を効率的に且つ経済的に使用する理由のため、異なる用途に対し異なる材料又は材料の強度を設定し又は選ぶことができる。換言すれば、予想される使用条件に依存して、本明細書に記載した要素の各々に対し幾つかの異なる型式の材料を使用することが可能であるが、使用される特別型式のポリマー又はその他の材料は、本発明の範囲を限定するものではないことが理解されよう。その代わり、本発明の範囲は、本発明を多数の異なる材料と共に好都合に使用できるようなものである。
【００３０】
以前の実施の形態におけるように、斜角付き端縁を有する実施の形態は、単一のキャビティ１６内で複数の化学的反応を同時に行なわせるため、参照番号２１で示すようなマイクロ波装置でその他の複数の実施の形態にて具現化することができる。
【００３１】
更なる詳細として、フレームは、典型的に、高強度熱可塑性ポリマー及びエンジニアリングポリマーから成る群から選ばれる。典型的なポリマーは、ＡＢＳ樹脂、アクリル系樹脂、ナイロン、ＰＥＥＫ樹脂、フェノールホルムアルデヒド樹脂、ポリブチレンテレフタレート、ポリカーボネート、より高強度ポリエチレン、ポリプロピレン、ポリスチレン、ポリ塩化ビニル（ＰＶＣ）及び尿素ホルムアルデヒド樹脂を含むが、これらにのみ限定されるものではない。特に好ましいプラスチックは、ゼネラルエレクトリック（Ｇｅｎｅｒａｌ  Ｅｌｅｃｔｒｉｃ）からのＵＬＴＥＭ（登録商標名）のようなポリエーテルイミドプラスチックである。熱可塑性材料は、ポリマー技術の当業者にとって周知であり、従って、本明細書で再度、説明しない多数の重合化及び触媒技術により異なる強度にて形成することができる。
【００３２】
マイクロ波透過性で且つ化学的に不活性であり、しかも構造的に適したポリマーに精通した当業者は、容器及びキャップに対してこれらの特性に適合するその他のポリマーを使用し、また、不必要な実験を行なわずに選ぶことができることが理解されよう。一例としてのフルオロポリマー及びその他の材料は、米国特許第５，５２０，８８６号のコラム５、１７−５５行にも記載されている。米国特許第５，５２０，８８６号の内容の全体は参考として引用して本明細書に含められる。
【００３３】
図面及び本明細書において、本発明の典型的な実施の形態を開示し、また、特定の語を使用したが、これらの語は、限定的することを目的とするものではなく、一般的で且つ説明の目的のためにのみ使用したものであり、本発明の範囲は特許請求の範囲に記載されている。
【図１】
0005377625.tif 000002
【図２】
0005377625.tif 000003
【図３】
0005377625.tif 000004
【図４】
0005377625.tif 000005
【図５】
0005377625.tif 000006